【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
導電性支持体上に少なくとも感光層及び保護層を順次積層してなる電子写真感光体において、該保護層が硬化性樹脂を含有し、該感光層が下記式（Ｉ）で示される重量平均分子量が２０万以上である結着樹脂を含有することを特徴とする電子写真感光体：
【化１】
2003186229.tif 000001
（式中、Ｒ1、Ｒ2、Ｒ3及びＲ4はそれぞれ水素原子、置換基を有してもよいアルキル基又は置換基を有してもよいアリール基を示す。ｎ／（ｎ＋ｍ）≧０．４である。）。
【請求項２】
式（Ｉ）で示される樹脂の重量平均分子量が３０万以上である請求項１に記載の電子写真感光体。
【請求項３】
式（Ｉ）で示されるｎとｍの関係がｎ／（ｎ＋ｍ）≧０．６である請求項１又は２記載の電子写真感光体。
【請求項４】
感光層が支持体側から電荷発生層、電荷輸送層の順に積層された積層型感光層であり、該電荷輸送層が式（Ｉ）で示される樹脂を含有する請求項１〜３のいずれかに記載の電子写真感光体。
【請求項５】
保護層に用いられる硬化性樹脂がフェノール樹脂、エポキシ樹脂、シロキサン樹脂、ウレタン樹脂、メラミン樹脂及びアクリル樹脂からなる群より選択される少なくとも一つである請求項１〜４のいずれかに記載の電子写真感光体。
【請求項６】
硬化性樹脂がフェノール樹脂である請求項５に記載の電子写真感光体。
【請求項７】
フェノール樹脂がレゾール型フェノール樹脂である請求項６に記載の電子写真感光体。
【請求項８】
保護層が潤滑性粒子を含有する請求項１〜７のいずれかに記載の電子写真感光体。
【請求項９】
潤滑性粒子がフッ素原子含有樹脂粒子、アルミナ粒子、シリカ粒子及びシリコーン樹脂粒子からなる群より選ばれる少なくとも１種類である請求項８に記載の電子写真感光体。
【請求項１０】
保護層が電荷輸送材料を含有する請求項１〜９のいずれかに記載の電子写真感光体。
【請求項１１】
保護層に含有される電荷輸送材料が、分子内にヒドロキシアルキル基、ヒドロキシアルコキシ基及び置換基を有してもよいヒドロキシフェニル基からなる群より選択される少なくとも一つを有する化合物である請求項１０に記載の電子写真感光体。
【請求項１２】
保護層に含有する電荷輸送材料が、下記式（１）〜（６）からなる群より選択される式で示される構造の少なくとも１種類である請求項１１に記載の電子写真感光体：
【化２】
2003186229.tif 000002
（式中、Ｒ11、Ｒ12及びＲ13はそれぞれ炭素数１〜８の枝分かれしてもよい２価の炭化水素基を示し、α、β及びγはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示し、ａ１、ｂ１及びｃ１は０又は１であり、ｍ１及びｎ１は０又は１である）、
【化３】
2003186229.tif 000003
（式中、Ｒ21、Ｒ22及びＲ23はそれぞれ炭素数１〜８の枝分かれしてもよい２価の炭化水素基を示し、δ及びεはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示し、ａ２、ｂ２及びｃ２は０又は１である。ｍ２、ｎ２及びｐ２は０又は１であり、総てが同時に０になることはない。τ及びυはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示す。なお、τとυは置換基を介して共同で環をなしてもよい）、
【化４】
2003186229.tif 000004
（式中、Ｒ31、Ｒ32、Ｒ33及びＲ34はそれぞれ炭素数１〜８の枝分かれしてもよい２価の炭化水素基を示し、ζ、η、θ及びιはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示し、ａ３、ｂ３、ｃ３及びｄ３は０又は１であり、ｍ３、ｎ３及びｐ３は０又は１である。φ及びχはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示す。なお、φとχは置換基を介して共同で環をなしてもよい）、
【化５】
2003186229.tif 000005
（式中、Ｒ41は炭素数１〜８の枝分かれしてもよい２価の炭化水素基を示し、Ｒ42は水素原子、置換基を有してもよいアルキル基、置換基を有してもよいアラルキル基又は置換基を有してもよいフェニル基を示す。Ａｒ41及びＡｒ42は置換基を有してもよいアルキル基、置換基を有してもよいアラルキル基、置換基を有してもよいアリール基又は置換基を有してもよい複素環基を示す。Ａｒ43は置換基を有してもよいアリーレン基又は２価の置換基を有してもよい複素環基を示す。ｍ４及びｎ４はそれぞれ０又は１である。ただし、ｎ４＝０の時、ｍ４＝０である。κ及びλはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示す）、
【化６】
2003186229.tif 000006
（式中、Ｒ51は炭素数１〜８の枝分かれしてもよい２価の炭化水素基を示す。Ａｒ51及びＡｒ52は置換基を有してもよいアルキル基、置換基を有してもよいアラルキル基、置換基を有してもよいアリール基又は置換基を有してもよい複素環基を示す。μ及びνはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示す。なお、μとνは置換基を介して共同で環をなしてもよい。ｍ５は０又は１である）、
【化７】
2003186229.tif 000007
（式中、Ｒ61及びＲ62はそれぞれ炭素数１〜８の枝分かれしてもよい２価の炭化水素基を示す。Ａｒ61は置換基を有してもよいアルキル基、置換基を有してもよいアラルキル基、置換基を有してもよいアリール基又は置換基を有してもよい複素環基を示す。ξ、π、ρ及びσはそれぞれ置換基としてハロゲン原子、置換基を有してもよいアルキル基、置換基を有してもよいアルコキシ基、置換基を有してもよいアリール基又は置換基を有してもよい複素環基を１つ以上有してもよいベンゼン環を示す。なお、ξとπ及びρとσは置換基を介して共同で環をなしてもよい。ｍ６及びｎ６はそれぞれ０又は１である）。
【請求項１３】
保護層が導電性粒子を含有する請求項１〜１２のいずれかに記載の電子写真感光体。
【請求項１４】
導電性微粒子が表面処理あるいはドープされた酸化スズである請求項１３に記載の電子写真感光体。
【請求項１５】
保護層がフッ素原子含有化合物及びシロキサン化合物の少なくとも一方を含有する請求項１〜１４のいずれかに記載の電子写真感光体。
【請求項１６】
保護層が浸漬塗布法で形成される請求項１〜１５のいずれかに記載の電子写真感光体。
【請求項１７】
請求項１〜１６のいずれかに記載の電子写真感光体を、該電子写真感光体を帯電させる帯電手段、静電潜像の形成された電子写真感光体をトナーで現像する現像手段及び転写工程後の電子写真感光体上に残余するトナーを回収するクリーニング手段からなる群より選ばれた少なくとも１つの手段と共に一体に支持し、電子写真装置本体に着脱自在であることを特徴とするプロセスカートリッジ。
【請求項１８】
請求項１〜１６のいずれかに記載の電子写真感光体、該電子写真感光体を帯電させる帯電手段、帯電した電子写真感光体に対し露光を行い静電潜像を形成する露光手段、静電潜像の形成された電子写真感光体にトナーで現像する現像手段及び電子写真感光体上のトナー像を転写材上に転写する転写手段を備えることを特徴とする電子写真装置。
【請求項１９】
導電性支持体上に少なくとも感光層及び保護層を順次積層してなる電子写真感光体において、該保護層が、該感光層上の、硬化性樹脂と溶剤とを含む塗工膜中の該硬化性樹脂を重合せしめた高分子硬化層であって、該感光層が上記式（Ｉ）で示される重量平均分子量が２０万以上である結着樹脂を含有することを特徴とする電子写真感光体。
【手続補正２】
【補正対象書類名】明細書
【補正対象項目名】００１４
【補正方法】変更
【補正の内容】
【００１４】
【発明が解決しようとする課題】
本発明の目的は、上記課題を解決する点にあり、感光層上に硬化性の保護層を設けることにより特に発生する残留電位の上昇が殆どなく、繰り返し使用の耐久時の電位変動が少なく、前サイクルの露光履歴が次サイクルの濃度変化として現れる所謂ゴースト現象の発生も殆どなく、反転現像系で問題となる転写メモリー現象の発生も殆どない電子写真感光体を提供することにある。
【手続補正３】
【補正対象書類名】明細書
【補正対象項目名】０１１７
【補正方法】変更
【補正の内容】
【０１１７】
積層型電子写真感光体の場合、電荷輸送層を形成するのに用いられる結着樹脂としては、本発明の特定の構造と分子量を有する結着樹脂であることが好ましい。